(57)【要約】【課題】簡単に組み立てることができるようにすることで、容易に通路のレイアウトの変更を可能とし、複数回利用しても利用者が飽きにくく商品価値の高い遊戯用迷路を提供する。【解決手段】本発明は、対向する側壁間を通路５とした遊戯用迷路である。その側壁は、通路５に沿って略一定の間隔で設置面１に取り外し可能に立設された複数の支柱２と、支柱２間に取り外し自在に取り付けられた壁体４とから構成されている。【選択図】図１
2011067373.tif 000002
【特許請求の範囲】
【請求項１】
対向する側壁間を通路とした遊戯用迷路であって、側壁は、通路に沿って略一定の間隔で設置面に取り外し可能に立設された複数の支柱と、支柱間に取り外し自在に取り付けられた壁体とから構成されたことを特徴とする遊戯用迷路。
【請求項２】
前記支柱は、前記壁体が取り外し自在に取り付けられる主体部と、該主体部の下方に設けられ主体部の上下高さを調整する高さ調整手段とを備えた請求項１記載の遊戯用迷路。
【請求項３】
前記支柱の下端部には前記設置面に載置される設置部が設けられ、一の支柱の設置部と、隣り合う他の支柱の設置部とが連結部材を介して相互に連結されて成る請求項１又は請求項２のいずれかに記載の遊戯用迷路。
【発明の詳細な説明】
【技術分野】
【０００１】
本発明は、遊戯用迷路に関するものである。
【背景技術】
【０００２】
従来から、屋外の広い面積を有する敷地内の地面に壁面を立設して迷路状の通路を形成した遊戯用迷路が、例えば特許文献１により知られている。この特許文献１により示す遊戯用迷路は、敷地等の設置面上に平板状の壁体が起立するように直接固定されて構成されている。このように設置面上に固定・立設された壁体を対向させて通路が構成され、入口から入った利用者がこの通路上を進行して出口を目指すようになっている。
【先行技術文献】
【特許文献】
【０００３】
【特許文献１】実公平０６−２２４００号公報
【発明の概要】
【発明が解決しようとする課題】
【０００４】
ところで、このような遊戯用迷路において、ひとたび入口から出口まで通過した場合には、その利用者は入口から出口までの道筋を少なくとも部分的に覚えているものである。このため、その利用者は、２度目以降の利用時において容易に出口に到達することができてしまい、退屈感や飽きを感じることがあった。
【０００５】
この問題を解消するために、遊戯用迷路の通路のレイアウトを定期的に変更することが考えられる。しかしながら、上記のような遊戯用迷路は、設置面上に壁体を直接固定して設けたものであるため、組み立て時において手間がかかってしまう。そのうえ、直接固定された壁体の移動や撤去は容易にはできないため、通路のレイアウトの変更も容易ではない。また仮に、壁体を設置面上から取り外してレイアウトの変更を行なおうとしても、大きな費用がかかってしまうという問題がある。実際、遊戯用迷路において通路のレイアウトの変更はほとんどなされておらず、この結果、複数回この迷路を利用するいわゆるリピーターが少ないというのが現状であった。
【０００６】
本発明は、上記事情に鑑みてなされたものであり、その目的とするところは、簡単に組み立てることができるようにすることで、容易に通路のレイアウトの変更を可能とし、複数回利用しても利用者が飽きにくく商品価値の高い遊戯用迷路を提供することにある。
【課題を解決するための手段】
【０００７】
上記課題を解決するために本発明の遊戯用迷路は以下の構成とする。
【０００８】
本発明は、対向する側壁間を通路５とした遊戯用迷路である。その側壁は、通路５に沿って略一定の間隔で設置面１に取り外し可能に立設された複数の支柱２と、支柱２間に取り外し自在に取り付けられた壁体４とから構成されている。
【０００９】
支柱２から壁体４を取り外し、支柱２を設置面１から取り外して、支柱２と壁体４の設置位置を変更させ、これらを再び組み立てることで、通路５のレイアウトを容易に変更することができる。
【００１０】
しかも本発明の遊戯用迷路は、取り外し可能な支柱２を設置面１に立設し、該支柱２に壁体４を取り付けるだけで簡単に構成することができるため、設置・撤収あるいは移設を簡単に行なうことができる。
【００１１】
また、本発明の遊戯用迷路は、支柱２が、前記壁体４が取り外し自在に取り付けられる主体部２４と、該主体部２４の下方に設けられ主体部２４の上下高さを調整する高さ調整手段７とを備えているのが好ましい。
【００１２】
高さ調整手段７によって主体部２４の高さを変更させると、主体部２４に取り付けられた壁体４の高さが変更される。つまり、設置面１が凹凸や傾斜などを有していても、この設置面１の状態によらず主体部２４を一定の高さとすることができ、壁体４を安定して取り付けることができる。
【００１３】
また、本発明の遊戯用迷路は、支柱２の下端部には設置面１に載置される設置部２２が設けられ、一の支柱２の設置部２２と該支柱２に隣り合う他の支柱２の設置部２２とが連結部材６ａを介して相互に連結されて成るのが好ましい。
【００１４】
このように、一の支柱２の設置部２２と、隣り合う他の支柱２の設置部２２とが連結部材６ａを介して相互に連結されると、支柱２の設置位置が相互に固定され、支柱２が安定して設置される。これにより、支柱２をアンカー固定する必要がなくなるため、屋内の床面等のようなアンカー固定することができない設置面１においても安定して支柱２を立設することができ、アンカー固定なしで遊戯用迷路を設置することが可能となる。
【発明の効果】
【００１５】
本願発明によれば、通路のレイアウトを簡単に変更することができ、複数回利用しても利用者が飽きにくくて商品価値の高い遊戯用迷路を提供することができる。
【図面の簡単な説明】
【００１６】
【図１】本発明の一実施形態の一部を分解した要部斜視図である。
【図２】同上の実施形態の支柱を説明するための図であり（ａ）は側面図（ｂ）は主体部の下端の挿通孔を説明するための斜視図（ｃ）は変形例の要部斜視図である。
【図３】同上の被取付部材を説明するための図である。
【図４】同上の上連結部材を説明するための要部側面図である。
【発明を実施するための形態】
【００１７】
以下、本発明の実施形態について添付図面に基づいて説明する。
【００１８】
添付図面における本実施形態の遊戯用迷路は屋内にある広いフロアに設置される。この遊戯用迷路は、入口と出口とが設けられており、入口から入った利用者が出口を目指しながら通路５上を進行する遊戯施設である。
【００１９】
本実施形態の遊戯用迷路は、図１に示されるように、略一定の間隔で略直線状に配設された支柱２間に壁体４を取り付けて通路の一側壁を構成すると共に、同様に他側壁を構成し、その一側壁と他側壁とを対向させ、その側壁間を通路５としている。この通路５は、入口から出口にまでつながっており、入口から出口までの間にクイズに答える場所やスタンプラリーのための場所などが設けられており、利用者が楽しむことができる様々な工夫が施されている。さらに、通路５は、出口につながる通路側と、行き止まりとなる袋小路部につながる通路側と、を分岐する分岐部を有しており、該分岐部を部分的に且つ複数箇所に備えている。
【００２０】
支柱２は、図２（ａ）に示されるように、側面に取付部２１が設けられた主体部２４と、この主体部２４の下端部に設けられ設置面１としての床面上に載置される設置部２２とを備えている。この設置部２２は、主体部の上下高さを変更・調整する高さ調整手段７を備えている
本実施形態の主体部２４は、水平断面正方形状の筒体によって構成されており、２ｍｍ厚の角パイプによって形成されている。主体部２４の側面には、壁体４が取り付けられる取付部２１が設けられている。詳しく説明すると、取付部２１は、主体部２４の水平断面において前後左右４箇所に設けられており、前後の取付部２１を結んだ仮想線と左右の取付部２１を結んだ仮想線とが略直交するようになっている。この取付部２１は、主体部２４の長手方向（上下方向）に長く形成された長孔２１１を主体部２４の長手方向の略全長に亙って所定間隔ごとに複数穿設することで構成されている。
【００２１】
主体部２４の下端には、後述する設置部２２のボルト部２５が挿通される挿通孔２７が穿設されている。図２（ｂ）に示されるように、主体部２４の下端に溶接される板状部材の中央に孔が穿設され、その孔と同軸となるように板状部材の上面に円筒部材２７１が溶接され、この孔と円筒部材２７１の内周面とでなす部分が本実施形態の挿通孔２７となっている。この挿通孔２７に設置部２２のボルト部２５が挿通されると、この円筒部材２７１の内周面に設置部２２のボルト部２５がガイドされ、主体部２４が設置部２２に対して前後左右にぶれることが防止される。
【００２２】
主体部２４の上端部には上連結部２８が形成されている。この上連結部２８は、図１に示されるように、隣り合う支柱２同士を連結部材６ｂを介して相互に連結させる部分であり、各支柱２の設置状態を安定させる。本実施形態においては、固着具を上方から下方に向けて螺合させるねじ部が主体部２４の上端に穿設され、連結部材６ｂをこのねじ部に螺着させる構成となっている。本実施形態の上連結部２８に装着される連結部材６ｂは、鋼材から成る角パイプにて構成されている。
【００２３】
なお、この上連結部２８の変形例として図２（ｃ）に示すような構成とすることもできる。つまり、支柱２の主体部２４の上端において、互いに離間した一対の取着片２９が、主体部２４に穿設された取付部２１としての長孔２１１の貫通方向にそれぞれ突出して設けられ、この一対の取着片２９が平面視前後左右計４箇所に互いに直交するようにして設けられる。この取着片２９には取着孔３０が穿設されている。一対の取着片２９間に連結部材６ｂを挿通すると共に、この取着孔３０と連結部材６ｂとにボルトのような固着具を挿通し、ナットを螺合・締結させることで、上連結部２８と連結部材６ｂとを連結するような構造になっている。
【００２４】
設置部２２は、床面上に載置される板状の載置板２６から鉛直上方に向けて寸切りボルトからなるボルト部２５が突設されて構成されている。このボルト部２５には高さ調整部材としてのナットＮが螺合されており、このナットＮの上端面に前記主体部２４の下端面となる板状部材が当接・載置される。つまり、このナットＮを下方に螺進させると、主体部２４が設置部２２の載置板２６側に近づくように位置変更され、逆に、このナットＮを上方に螺退させると、主体部２４の載置板２６が設置部２２から遠ざかるように位置変更される。本実施形態においては、このボルト部２５とナットＮ（高さ調整部材）とで、設置部２２の主体部２４に対する上下方向の高さ位置を変更させる高さ調整手段７が構成されている。
【００２５】
また載置板２６には、上下に貫通する貫通孔２３が四隅部に設けられている。この貫通孔２３には、連結部材６ａが装着される。なお、本実施形態の貫通孔２３はねじ部が螺設されたタップ孔で構成されているが、本発明の貫通孔２３は単なるドリル孔（いわゆるバカ孔）であってもよく、特に限定されるものではない。
【００２６】
ここで、図１に示されるように、本実施形態の貫通孔２３には連結部材６ａが装着される。この連結部材６ａによって、一の支柱２の設置部２２と、該支柱２に隣り合う他の支柱２の設置部２２とが相互に連結されると、支柱２の設置位置が相互に固定される。この結果、支柱２が安定して設置される。つまり、支柱２をアンカー固定する必要がなくなるため、本実施形態のような屋内の床面等のようなアンカー固定することができない設置面１においても安定して支柱２を立設することができる。しかしこの設置面１がアンカー固定可能な場合には、この貫通孔２３を用いて床面にアンカー固定してもよい。すなわちこの貫通孔２３は、連結部材６ａを装着するか又はアンカー固定するかを選択できるようになっている。
【００２７】
なお、上記本実施形態の支柱２は、鋼材に防錆材を塗装して形成されている。
【００２８】
このような支柱２には、取付部２１を介して壁体４が取り外し自在に取り付けられる。
【００２９】
この壁体４は、矩形状の枠体４１内に壁部材４２が取り付けられて構成されている。この壁部材４２には、例えばパネル状の板体や、全面に亙って透穴が形成されたメッシュ状の網体等が好適に用いられる。また、本実施形態の壁体４は、上下長さの異なる複数種類の壁体４が用意されており、後述するように、シーンに応じて使い分けることができる。
【００３０】
この壁体４の幅方向の両端には、支柱２の取付部２１と係合する被取付部４３が設けられている。本実施形態の被取付部４３は、図３に示されるような被取付部材４４で構成されている。この被取付部材４４は、下方に突出する垂下片を備えたＬ字状の係止爪４５が一方の側方から突設されており（本実施形態は３箇所）、係止爪４５が支柱２の取付部２１としての長孔２１１に係止される。また、この被取付部材４４の幅方向の略中間には枠体４１が固着される取付孔４６が穿設されている。
【００３１】
上記のように枠体４１内に壁部材４２を配設し、この状態で壁面幅方向両端に被取付部材４４を取り付けることで壁体４が構成される。この壁体４は、その両端が支柱２に取り外し自在に係止されており、一対の支柱２間に架設されるようにして取り付けられる。詳しくは、支柱２の側面に形成された取付部２１の長孔２１１に壁体４の係止爪４５を挿通し、その後、壁体４を下方に押し下げて、係止爪４５を取付部２１に係止させる。このようにして支柱２に対して壁体４が取り付けられる。
【００３２】
本実施形態の側壁は、直線状で且つ一定の間隔で立設された複数の支柱２間にそれぞれ壁体４を配設して構成されており、直線状の側壁が複数列設けられている。複数設けられた側壁同士を互いに対向させることで通路５が形成され、この通路５内にいる利用者は、壁体４に沿う方向に走行することができる。
【００３３】
このような構成の壁体４と支柱２とを有する本実施形態の遊戯用迷路は、以下のような構成となっている。
【００３４】
本実施形態の複数の支柱２は、図１に示されたように、設置面１上の略全面に亙るよう前後左右に略均等な間隔で整然と立設されている。そして、この支柱２間に壁体４を取り付ける部分と取り付けない部分とを設けると共に、部分的に分岐部を設ける。この分岐部は、出口につながる通路５と袋小路部につながる通路５とを利用者において選択させる部分であり、通路５を分岐させた部分である。なお、袋小路部は、通路５を成す壁体４とは直交するようにして支柱２間に壁体４を架設してあり、利用者がその先に走行できない行き止まりとなっている。
【００３５】
本実施形態の遊戯用迷路は、屋内の床面上に設置されるため、床面にアンカー固定をすることができない。この場合、通常は支柱２が不安定となり側壁が倒れる恐れがあるが、本実施形態の遊戯用迷路は、上述のように、支柱２の設置部２２同士を連結部材６ａで相互に連結している。これにより、アンカー固定をしなくとも壁体４を取り付けた支柱２を安定して立設することができるようになっている。
【００３６】
この設置部２２に装着された連結部材６ａは、図１に示されるように、長尺状の板状部材によって主体が構成されている。この板状部材の両端にはＬ字状に屈曲された装着部６２が設けられている。この装着部６２は貫通孔２３から設置部２２に沿って設置面１にまで延設されており、連結部材６ａの両端にこの装着部６２が設けられることによって、連結部材６ａが床面上に沿って設置されることとなる。この結果、設置面１と連結部材６ａとの間に生じる段差を極力減らすことができ、利用者が連結部材６ａにつまづくのを防止できる。
【００３７】
また本実施形態の遊戯用迷路は、壁体４が設置された支柱２の上連結部２８においても、連結部材６ｂを介して隣り合う支柱２同士が連結されている。上記のように設置部２２同士が連結されることで支柱２が安定したとしても、壁体４の重量によっては、壁体４が取り付けられた支柱２自体が撓むことも考えられる。そこで、本実施形態の遊戯用迷路は、上連結部２８にて支柱２同士を連結させることで、これらの強度を向上させてあり、利用者がより安全な状態で利用することができるような構造となっている。
【００３８】
また、本実施形態の遊戯用迷路の側壁は、メッシュ状の網体からなる壁部材４２を使用して、壁体４を通して隣接した通路５を見えるように構成したり、網体ではなく板体の壁体４を上下に並設し且つ上下長さの短い壁体４を下方にのみ使用して、隣接した通路５の足元付近のみを見えるように構成したり、板体の壁部材４２を配設した壁体４を上下に並設し且つ上下長さの短い壁体４を上方に使用して、隣接した通路５を上方から覗き込めるように構成したり、単に、板体の壁部材４２を配設した壁体４によって通路５の両側方を上下に亙って覆うように構成したりして、これらを組み合わせて利用者において飽きが来ないようにさせる工夫がなされている。さらに、壁体４に図柄を付して、それぞれ通路５の場所に応じたシーンの雰囲気を醸し出すことも可能である。
【００３９】
このように構成された本実施形態の遊戯用迷路は、支柱２と壁体４とが取り外し自在に構成されているため、支柱２から壁体４を取り外し、支柱２を設置面１から取り外して、支柱２と壁体４の設置位置を変更させると、通路５のレイアウトが変更される。また、本実施形態の支柱２は、設置面１の略全面に亙って上下左右略一定の間隔で配設されているため、支柱２の位置を変えずに、壁体４の取り付け位置を変更させるだけで、以前のレイアウトとは異なる新たなレイアウトの遊戯用迷路が形成される。これにより、簡単に通路５のレイアウトを変更することができるようになる。
【００４０】
さらに、本実施形態の支柱２は、支柱２に設けられた取付部２１が水平断面において前後左右４箇所に設けられ、該前後の取付部２１を結んだ仮想線と左右の取付部２１を結んだ仮想線とが略直交するように構成されている。これにより、一定の間隔で配設された支柱２間に、壁体４を適宜選択して取り付けるだけで、直線状の通路５や略直角に曲がった通路５を形成することができる。つまり、共通した支柱２によって遊戯用迷路全体を構成することができるため、部品点数を極力減らすことができ、コストダウンを図ることが可能である。
【００４１】
ところで、本実施形態の遊戯用迷路は屋内の床面上に設置されているが、このものを屋外の地面上に移設することも可能である。つまり、支柱２や壁体４がそれぞれ共通した部材によって構成されているため、これらをまとめて運搬するのに適しており、さらに組立作業も簡単に行なうことができる。そのうえ、共通した部材により支柱２や壁体４が構成されているため、遊戯用迷路の増設も簡単におこなうことができる。
【００４２】
また、屋外の地面上等の設置面１においては、凹凸となるいわゆる不陸や、傾斜面がある場合があるが、本実施形態の支柱２の設置部２２は、主体部２４の高さを変更する高さ調整手段７を備えているため、不陸や傾斜面の高さ位置に合わせて主体部２４や壁体４の高さを調整することができる。このように、設置面１が平坦に形成されたものでなくとも、本実施形態の支柱２によれば、より安定した設置ができるようになる。もちろん、傾斜面を有する設置面１を積極的に利用して、遊戯用迷路のシーンの一つとして、傾斜面を取り入れるようにしてもよい。
【００４３】
なお、このように傾斜面に支柱２を設置すると、隣り合う支柱２の上連結部２８の上下位置が相互に上下にずれる場合がある。この場合、図４に示されるように、上連結部材６１を介在させて、隣り合う支柱２同士の連結を行なう。この上連結部材６１は、長尺状の板材を断面略コ字状に屈曲させて構成されたものであり、この略コ字状の内向面に連結部材６ｂを装着するようになっている。この上連結部材６１の背面には固着部が設けられており、この固着部が、支柱２の側面に形成された取付部２１を介して支柱２に取り付けられるようになっている。なお、本実施形態における上連結部材６１と支柱２とは、ねじ具のような固着具を用いて装着される。
【００４４】
なお、地面上に支柱２を設置する場合には、アンカー固定をすることが可能である場合が多いが、もちろん、本実施形態のように連結部材６ａにより設置部２２を相互に固定した構成としてもよいし、アンカー固定をしたうえで、さらに連結部材６ａにより設置部２２を相互に固定した構成としてもよい。
【００４５】
以上、本実施形態の遊戯用迷路は、支柱２と壁体４とをそれぞれ共通させた部材を用いて遊戯用迷路全体を構成したが、本発明の遊戯用迷路はその構成に限定されず、例えば固定的に設置された木造の迷路の周囲の部分のみを、本実施形態のような支柱２や壁体４を用いて構成して、その部分のレイアウトのみを定期的に（あるいは不定期に）変更可能に構成したものや、遊戯用迷路のうち一部分のみを本実施形態のような支柱２や壁体４を用いて構成したものであってもよい。
【００４６】
また本発明の遊戯用迷路は、ショッピングセンターや遊園地の空きスペース，シーズンオフの遊休地、並びに各種イベント会場など屋内や屋外を問わず、また、共通の部材を使用しているため、規模の大小を問わずに設置することが可能となる。
【００４７】
なお、本発明の支柱２や壁体４の材質は、本実施形態のものに限定されるものではない。また、本実施形態の設置面１は屋内の床面として説明したが、本発明の設置面はこのものに限定されるものではない。
【符号の説明】
【００４８】
１      設置面
２      支柱
２１    取付部
２２    設置部
２３    貫通孔
２４    主体部
２５    ボルト部
２６    載置板
２７    挿通孔
２８    上連結部
４      壁体
４１    枠体
４２    壁部材
４３    被取付部
４４    被取付部材
４５    係止爪
４６    取付孔
５      通路
６ａ    連結部材
６ｂ    連結部材
【図１】
2011067373.tif 000003
【図２】
2011067373.tif 000004
【図３】
2011067373.tif 000005
【図４】
2011067373.tif 000006